(57)【要約】【課題】床面に散乱しているコインを簡単かつ能率よく短時間で回収することが可能なコイン回収機を提供する。【解決手段】ハウジング４内に回転へら８、９が収容されており、回転へら８、９は駆動部２によって回転可能とされている。回転へら８、９の回転方向の上流側には、一端を床面と接するリードエッジ８ａ、９ａが設けられており、下流側は水平面８ｂ、９ｂを経由してコイン止め８ｃ、９ｃが立設されている。ハウジング４の周面４ａの上部には、開口１０が設けられており、開口１０から径外方向に突出して回収トレイ１１が固定されている。駆動部２の上端中央には金属製の柄３が垂設されており、柄３の上端には握り部３ａが設けられている。【選択図】図３
2006034606.tif 000002
【特許請求の範囲】
【請求項１】
床面と平行に回転する回転へらであって、該床面のコインをすくい上げるリードエッジと、
すくい上げられたコインを外周外方へ誘導する上部誘導面とを備える回転へらと、
該上部誘導面から送り出された前記コインを回収する回収部と、を備えることを特徴とするコイン回収機。
【請求項２】
前記コインの移動を規制するコイン移動規制具が更に備えられ、該コイン移動規制具はこれと前記リードエッジとによって前記床面のコインを挟むことができるように配置される、ことを特徴とする請求項１記載のコイン回収機。
【請求項３】
作業者が立位のまま持つことができる握り部が設けられていることを特徴とする請求項１又は２記載のコイン回収機。
【請求項４】
前記握り部には前記回転へらを回転させるための駆動スイッチが取り付けられていることを特徴とする請求項３記載のコイン回収機。
【請求項５】
前記回収部は脱着可能とされていることを特徴とする請求項１乃至４のいずれか１項記載のコイン回収機。
【発明の詳細な説明】
【技術分野】
【０００１】
本発明は、床に散乱したコインを回収するためのコイン回収機に関する。
【背景技術】
【０００２】
ゲームセンターやパチンコホールでは、スロットマシン等、遊戯用のコインを用いて遊戯をするゲーム機が設置されている。遊戯者はゲーム機にコインを投入する際にゲームに熱中するあまり、コインを落としたり、コインを入れた箱をひっくり返したりして、コインを不用意に床に散乱させてしまうことがある。こうして床に散乱したコインは、遊技者自身や遊技場の係員が手で一枚一枚拾い集めている。
【０００３】
しかし、このように床に散乱したコインを人の手によって拾い集めるためには、作業者はしゃがみこんでコインを一枚づつ拾わなくてはならず、手間と時間がかかり、作業者にとって大きな負担となる。また、ゲーム機は、通常狭い空間に連続して並んで設置してあるため、床に散乱したコインを拾い集める作業は、他の遊技者の邪魔となる。このため、コインを拾い集める作業は、できる限り短時間で終了させる必要がある。
【０００４】
こうした問題を解決するため、床に散乱したコインを直接手で拾うことなく、能率よく短時間で回収するためのコイン回収機が提案されている。例えば、特許文献１〜４には、回転するローラ等によってコインを巻き込んで回収するコイン回収機が提案されている。
【特許文献１】特開２００４−６５６７３号公報
【特許文献２】特開平６−６３２４３号公報
【特許文献３】特開平５−１３４９１号公報
【特許文献４】実用新案登録第３０９５０１８号  また、特許文献５〜７には、床に散乱したコインを挟み込んで回収するコイン回収機が提案されている。
【特許文献５】実用新案登録第３０７１６９０号
【特許文献６】実用新案登録第３０７１６９１号
【特許文献７】実用新案登録第３０１５８４６号  さらに、特許文献８〜１０には、床に散乱したコインを手動ですくいとる方式のコイン回収機が提案されている。
【特許文献８】特開平１１−３１９２９９号公報
【特許文献９】実開平４６５５９１号公報
【特許文献１０】特開平２００３−２３６２２５号公報
【発明の開示】
【発明が解決しようとする課題】
【０００５】
本発明は、上記従来のコイン回収機とは異なる新たな方式により、床面に散乱しているコインを簡単かつ能率よく短時間で回収することが可能なコイン回収機を提供することを目的としている。
【課題を解決するための手段】
【０００６】
本発明のコイン回収機は、床面と平行に回転する回転へらであって、該床面のコインをすくい上げるリードエッジと、すくい上げられたコインを外周外方へ誘導する上部誘導面とを備える回転へらと、該上部誘導面から送り出された前記コインを回収する回収部とを備えることを特徴とする。
【０００７】
本発明のコイン回収機では、回転へらが床面と平行に回転することにより、リードエッジが床に落ちているコインと床との隙間に入り込み、コインがすくい上げられる。こうしてすくい上げられたコインは、上部誘導面によって外周外方へ誘導される。そして、さらに上部誘導面から送り出されたコインが回収部によって回収される。このため、作業者は、コイン回収機を床に散乱したコインのある位置あたりに載置させるだけで、簡単かつ能率よく短時間にコインを回収することができる。
【０００８】
本発明のコイン回収機には、前記コインの移動を規制するコイン移動規制具が更に備えられ、該コイン移動規制具はこれと前記リードエッジとによって前記床面のコインを挟むことができるように配置される。これにより、床面のコインの移動が規制されて、当該コインが確実にリードエッジですくい上げられることとなり、コインの回収効率が向上する。
【０００９】
また、本発明のコイン回収機には、作業者が立位のまま手でコイン回収機を持つことができる握り部が設けられていることが好ましい。こうであれば、作業者は、立ち姿勢のままでコインの回収作業を行うことができるため、作業がより楽となる。
【００１０】
さらに、握り部には回転へらを回転させるための駆動スイッチが取り付けられていることが好ましい。こうであれば、作業者は握り部を握りながら、手元で回転へらの回転のオンオフを行うことが可能となり、コインの回収作業を楽な姿勢のまま能率的に行うことができる。
【００１１】
また、回収部は脱着可能とされていることもできる。こうであれば、回収部を取外すことによって、回収部に貯まったコインの回収作業をより容易に行うことができる。
【発明を実施するための最良の形態】
【００１２】
以下、本発明を具体化した実施形態１〜３について、図１〜図７を参照しつつ説明する。
【００１３】
（実施形態１）
実施形態１のコイン回収機は、図１に示すように、略伏椀形状のコイン回収部１と、コイン回収部１の上に設けられた駆動部２と、駆動部２に接続されて上方に延在する柄３とから構成されている。
【００１４】
コイン回収部１は、図２及び図３に示すように、略伏椀形状のハウジング４が外郭をなし、ハウジング４の上端中央には軸受け５が貫設されている。軸受け５には回転軸６が嵌挿されており、回転軸６の下端には、２枚の回転へら８、９がかしめによって固定されている。回転へら８、９は回転軸６の径外方向に向かって両側に同じ形状とされている。回転へら８、９には、回転方向の上流側の一端を床面と接し、下流側に向かって緩やかな傾斜面を有するリードエッジ８ａ、９ａが形成されており、リードエッジ８ａ、９ａの下流側には床面に水平とされた水平面８ｂ、９ｂが設けられている。水平面８ｂ、９ｂの回転方向の下流側の端には、コイン止め８ｃ、９ｃが立設されている。水平面８ｂ、９ｂとコイン止め８ｃ、９ｃの表面とが上部誘導面である。
水平面８ｂ、９ｂを外周側へ傾斜させ、該水平面８ｂ、９ｂ上のコインが回収トレイ側へ移動し易くすることもできる。
【００１５】
また、ハウジング４の周面４ａの上端には、横長矩形形状の開口１０が一箇所設けられており、開口１０から径外方向に突出して回収トレイ１１が取り付けられている。回収トレイ１１は、開口８側の側壁が開放されており、回収トレイ１１内部とハウジング４内部とは連通状態とされている。回収トレイ１１の底面１１ａは回転へら８、９の水平面８ｂ、９ｂより僅かに低い位置とされている。
【００１６】
図４に示すように、駆動部２の内部には、モータ１２が軸芯１２ａを垂直下向き方向にして固定されている。モータ１２の軸心１２ａにはギア１２ｂが嵌められており、ギア１２ｂは、回転軸６ａの上端に嵌められたギア６ｂと歯合され、モータ１２の駆動により回転軸６ａが回転可能とされている。また、駆動部２の内部にはモータ１２の電源用のバッテリ１３が設けられている。
【００１７】
駆動部２の上端中央には金属製の柄３が溶接によって垂設されており、図１に示すように、柄３の上端には握り部３ａが設けられている。握り部３ａの上面の一端付近には、モータ１２（図４参照）の駆動のオンオフを切り替えるための駆動スイッチ１４が取り付けられている。
【００１８】
以上のように構成された実施形態１のコイン回収機では、以下に示すようにして、床に散乱しているコインを回収することができる。
【００１９】
コインを回収しようとする作業者は、図１に示す握り部３ａを握り、コイン回収機を持ち上げながら、コインが散乱している場所の上にまで移動させる。そして、コイン回収部１の底面をコインが散乱している場所に載置し、駆動スイッチ１４をオン状態とする。これにより、図４に示すモータ１２が駆動し、ギア１２ｂ及びギア６ａを介して回転軸６が回転し、図３に示す回転へら８、９が回転する。そして、リードエッジ８ａ、９ａの先端が床に落ちているコインと床との隙間に入り込み、コインがすくい上げられる。こうしてすくい上げられたコインは、慣性力によって回転へら８、９のリードエッジ８ａ、９ａの表面を昇り、水平面８ｂ、９ｂに達した後、コイン止め８ｃ、９ｃに堰き止められる。コイン止め８ｃ、９ｃに堰き止められたコインは、回転へら８、９とともに回転することにより径外方向に遠心力を受け、コインの側面をハウジング４の内周面に接触させながら回転する。そして、コインが開口１０に達すると、遠心力によってコインが径外方向に向かって飛び出し、回収トレイ１１内に回収される。
【００２０】
こうして、コインが回収された後、図１に示す駆動スイッチ１４をオフ状態とし、コインが散乱している他の場所に移動して、再び上記操作を行い、コインを回収する。これらの作業を繰り返すことにより、床に散乱しているコインを全て回収して作業が終了する。
【００２１】
このコイン回収機によれば、作業者は、コイン回収機の底面を床に散乱したコインのある位置あたりに載置させて、駆動スイッチ１４をオン状態とするだけで、コインの回収を行うことができる。このため、簡単かつ能率よく短時間にコインを回収することができる。また、柄３の上端に握り部３ａが設けられているため、作業者は、握り部３ａを握りながら、立ち姿勢の状態で、片手で楽に作業を行うことができる。このため、コイン回収作業者の負担も極めて軽いものとなる。
【００２２】
（実施形態２）
実施形態２のコイン回収機は、図５及び図６に示すように、ハウジング４の水平面８ｂ、９ｂが通過する経路の上方の位置に、径方向に長くされたスリットが設けられ、そこにブラシ２１が嵌挿される。ブラシ２１は基部２３とブラシ本体部２４から構成される。基部２３はハウジング４のスリットへ嵌挿固定される。ブラシ本体部２４は所定の剛性を有し、リードエッジ８ａ、９ａに押されるコインの移動を規制し、当該コインがリードエッジ８ａ、９ａにより確実にすくい上げられるようにしている。また、このブラシ本体部２４は回転へら８上のコインが回収トレイ１１側へ移動することを何ら制限するものではない。即ち、当該ブラシ２１は床面上のコインの移動を規制するコイン移動規制具であり、これとリードエッジとで床面上のコインを挟めるように当該コイン移動規制具は配置される。実施例のブラシ２１は、回転へら８の回転方向において回収トレイ１１の直後に配置され、コインの補足をより確実にしている。勿論、ブラシ２１の配置部位、形状等は任意に設計可能である。
また、かかるブラシ２１を設けることにより、コインの表面に付着しているゴミや塵を除去することもできる。他の作用効果は実施形態１のコイン回収機と同様である。
【００２３】
（実施形態３）
実施形態３のコイン回収機は、図７に示すように、ハウジング４の外周面であって、開口８の周囲を取り囲む位置に磁石３１ａ、３１ｂ、３１ｃが取り付けられており、回収トレイ１１は磁石３１ａ、３１ｂ、３１ｃの吸引力によって固定されている。その他の構成は図１〜４に示す実施形態１のコイン回収機と同様であり、同一の構成については同一の符号を付して詳細な説明を省略する。
【００２４】
実施形態３のコイン回収機では、回収トレイ１１が磁石３１ａ、３１ｂ、３１ｃの吸引力だけでハウジング４に固定されているため、回収トレイ１１をハウジング４から取り外したり、取り付けたりする作業を簡単に行うことができる。このため、回収トレイ１１をハウジング４から外した状態でコインの回収を行うことが可能となり、回収トレイ１１に貯まったコインを極めて容易に回収することができる。
【産業上の利用可能性】
【００２５】
本発明は、遊技場等において床に散乱したコインの回収するために用いることができる。
【図面の簡単な説明】
【００２６】
【図１】実施形態１のコイン回収機の正面図である。
【図２】実施形態１のコイン回収機のコイン回収部付近の斜視図である。
【図３】実施形態１のコイン回収機のコイン回収部付近の破断斜視図である。
【図４】実施形態１のコイン回収機の駆動部の断面図である。
【図５】実施形態２のコイン回収機のコイン回収部付近の破断斜視図である。
【図６】実施形態２のコイン回収機の平面図である。
【図７】実施形態３のコイン回収機の部分平面図である。
【符号の説明】
【００２７】
８、９…回転へら
８ａ、９ａ…リードエッジ
１１…回収トレイ（回収部）
２１…ブラシ
３ａ…握り部
１４…駆動スイッチ
【図１】
2006034606.tif 000003
【図２】
2006034606.tif 000004
【図３】
2006034606.tif 000005
【図４】
2006034606.tif 000006
【図５】
2006034606.tif 000007
【図６】
2006034606.tif 000008
【図７】
2006034606.tif 000009